(57)【要約】【課題】通信する電磁波のビーム幅を制御することができる、アンテナ装置を提供する。【解決手段】アンテナ素子１１０は、複数の波長帯域の電波を通信する。第一および第二のメタマテリアル反射板１２０，１３０および金属反射板１４０とは、通信する複数の波長帯域のうち少なくとも一つの電波を各々反射する。板配置部材は、アンテナ素子１１０に対して第一および第二のメタマテリアル反射板１２０，１３０および金属反射板１４０を、電波の複数の波長帯域の比率と同一の比率の位置に配置している。第一および第二のメタマテリアル反射板１２０，１３０は、複数の誘電体１２１，１３１を周期配列させた周期配列構造をなしており、第一および第二のメタマテリアル反射板１２０，１３０は、電波の方向と直交する方向の誘電体１２１，１３１の面積により、反射する電波のビーム幅が制御されている。【選択図】図１
2014093544.tif 000002
【特許請求の範囲】
【請求項１】
複数の微細素子を周期配列させた周期配列構造をなしている、アンテナ装置の反射板であって、
反射する前記電磁波のビーム幅に、前記電磁波の方向と直交する方向の前記微細素子の面積が対応している、
反射板。
【請求項２】
複数の波長帯域の電磁波を通信するアンテナ素子と、
複数の波長帯域のうち少なくとも一の前記電磁波を各々反射する複数の反射板と、
前記アンテナ素子に対して複数の前記反射板を複数の前記波長帯域の比率と同一の比率の位置に配置している板配置手段と、を有しており、
少なくとも一の前記反射板は、請求項１に記載の反射板として形成されている、
アンテナ装置。
【請求項３】
周期配列構造の前記反射板の、前記電磁波の方向と直交する方向の前記微細素子の面積に対応した横幅をＷ、反射する前記電磁波の波長をλ、とすると、
０．１６≦Ｗ／λ≦０．２０
を満足している、請求項２に記載の、アンテナ装置。
【請求項４】
前記反射板で反射される電磁波のビーム幅としてビームの主ローブの最大ゲインより３ｄＢ下がった点間の角度が、
５０≦Ｄ≦１００（degree）
なる内角Ｄに制御されている、
請求項２または３に記載の、アンテナ装置。
【請求項５】
周期配列構造の前記反射板は、前記微細素子として細長形状の誘電体を周期配列させたメタマテリアル反射板として形成されている、
請求項２ないし４の何れか一項に記載の、アンテナ装置。
【請求項６】
周期配列構造の前記反射板は、金属製の前記微細素子を周期配列させた周波数選択板として形成されている、
請求項２ないし４の何れか一項に記載の、アンテナ装置。
【請求項７】
周期配列構造の前記反射板は、個々に反射する前記電磁波の周波数帯域に、前記電磁波の方向と直交する方向の前記微細素子の配列ピッチが対応している、
請求項２ないし６の何れか一項に記載の、アンテナ装置。
【請求項８】
複数の波長帯域の電磁波を通信するアンテナ素子と、複数の波長帯域のうち少なくとも一の前記電磁波を各々反射する複数の反射板と、前記アンテナ素子に対して複数の前記反射板を複数の前記波長帯域の比率と同一の比率の位置に配置している板配置手段と、を有しており、少なくとも一の前記反射板は、複数の微細素子を周期配列させた周期配列構造をなしている、アンテナ装置のビーム幅制御方法であって、
周期配列構造の前記反射板の、前記電磁波の方向と直交する方向の前記微細素子の面積により、反射する前記電磁波のビーム幅を制御する、
ビーム幅制御方法。
【発明の詳細な説明】
【技術分野】
【０００１】
本発明は、複数の波長帯域の電磁波を複数の反射板に個々に反射させる反射板、アンテナ装置、そのビーム幅制御方法、に関する。
【背景技術】
【０００２】
本出願人は、複数の周波数を共用することができ、設置スペースを削減した、アンテナ装置を提案している（たとえば、特許文献１参照）。そのアンテナ装置は、複数の反射板、および、アンテナ素子、を備えている。そのアンテナ素子は、複数の波長帯域で動作する多周波数共用または広帯域用として形成されており、複数の波長帯域の電磁波である電波の送信や受信などの通信を実行する。また、複数の反射板は、上述のようなアンテナ素子で通信される、複数の波長帯域のうち少なくとも一つの電波を各々反射する。
【０００３】
特許文献１のアンテナ装置では、上述のような反射板が周期配列構造をなしている。この周期配列構造は、角柱状や円柱状の線材などからなる微細素子を、反射する電波の波長より充分に小さな距離で等間隔に格子状に組み合わせた、周期配列構造をなしている。このようなメタマテリアル反射板は、人工的な周期構造により負の誘電率を有しており、その格子状の配列構造の周期間隔に対応したバンドギャップも有している。このようなメタマテリアル反射板は、たとえば、周波数が１０ＧＨｚ以下の電波に適用する場合、微細素子からなる線材などの寸法は数ｍｍ単位とすることができるので、マクロな部品として容易に製造することができる。
【０００４】
特許文献１のアンテナ装置では、複数のメタマテリアル反射板の各々が、所望の複数の波長帯域のうち少なくとも一つの電波を各々反射する形状に形成されており、複数の波長帯域の電波に対応した位置に配置されている。このため、複数のメタマテリアル反射板の各々では、周期配列構造の複数の微細素子の間隔が、各々反射する複数の電波の波長帯域の比率と同一とされている。
【０００５】
また、このような略正方形の複数のメタマテリアル反射板は、各々の略直交する二辺の寸法も、各々反射する複数の電波の波長帯域の比率と同一とされている。さらには、この複数の波長帯域に対応した個数のメタマテリアル反射板は、その表面が送受信する電波の方向と略直交するように、送受信する電波の方向に配列されている。この複数の波長帯域に対応した個数のメタマテリアル反射板とアンテナ素子との距離も、電波の複数の波長帯域の比率と同一の比率の位置に配置されている。
【０００６】
このため、特許文献１のアンテナ装置では、複数のメタマテリアル反射板は、複数の波長帯域においてバンドギャップを形成する。このようなアンテナ装置は、たとえば、複数の周波数帯で水平面内のビーム幅が同一の放射パターンで同一の無線ゾーンをカバーすることができるので、陸上移動無線通信用の基地局などに適用することができる。なお、上述のようなアンテナ装置を最小に形成する場合、アンテナ素子に対する複数のメタマテリアル反射板の距離は、各々が反射する電磁波の波長と同一となる。また、メタマテリアル反射板が正方形に形成されている場合、その一辺も各々が反射する電磁波の波長と同一となる。
【０００７】
また、上述のようなアンテナ装置において、最大の反射板を金属で形成することもできる。その場合、この金属製の反射板も複数のメタマテリアル反射板とともにアンテナ素子に対し、電波の複数の波長帯域の比率と同一の比率の位置に配置される。そして、金属製の反射板も正方形に形成される場合、やはり一辺が反射する電磁波の波長と同一とされる。なお、他にも反射板を周期配列構造としたアンテナ装置が開示されている（たとえば、非特許文献１）。
【先行技術文献】
【特許文献】
【０００８】
【特許文献１】特開２０１１−２４４１３６号公報
【非特許文献】
【０００９】
【非特許文献１】“Dipole antennas used with all-dielectric, woodpile photonic-bandgap reflectors: gain, field patterns, and input impedance”G. S. Smith, M. P. Kesler, and J. G. Maloney, Microwave and Opt. Tech. Lett., vol.21, no.3, pp.191-196, May 1999.
【発明の概要】
【発明が解決しようとする課題】
【００１０】
上述のようなアンテナ装置では、電波を送信および受信することができるが、この送信および受信する電波のビーム幅を制御することが、たとえば、特許文献１や非特許文献１には開示されていない。このため、アンテナ装置の用途や仕様のためにビーム幅を制御したい場合、これを実現することができない。
【００１１】
本発明は上述のような課題に鑑みてなされたものであり、通信する電磁波のビーム幅を制御することができる反射板、アンテナ装置、そのビーム幅制御方法、を提供するものである。
【課題を解決するための手段】
【００１２】
本発明の反射板は、複数の微細素子を周期配列させた周期配列構造をなしている、アンテナ装置の反射板であって、反射する前記電磁波のビーム幅に、前記電磁波の方向と直交する方向の前記微細素子の面積が対応している。
【００１３】
本発明のアンテナ装置は、複数の波長帯域の電磁波を通信するアンテナ素子と、複数の波長帯域のうち少なくとも一の前記電磁波を各々反射する複数の反射板と、前記アンテナ素子に対して複数の前記反射板を複数の前記波長帯域の比率と同一の比率の位置に配置している板配置手段と、を有しており、少なくとも一の前記反射板は、本発明の反射板として形成されている。
【００１４】
上述のようなアンテナ装置において、周期配列構造の前記反射板の、前記電磁波の方向と直交する方向の前記微細素子の面積に対応した幅をＷ、反射する前記電磁波の波長をλ、とすると、
０．１６≦Ｗ／λ≦０．２０
を満足している。
【００１５】
上述のようなアンテナ装置において、前記反射板で反射される電磁波のビーム幅としてビームの主ローブの最大ゲインより３ｄＢ下がった点間の角度が、
５０≦Ｄ≦１００（degree）
なる内角Ｄに制御されている。
【００１６】
上述のようなアンテナ装置において、周期配列構造の前記反射板は、前記微細素子として細長形状の誘電体を周期配列させたメタマテリアル反射板として形成されている。
【００１７】
上述のようなアンテナ装置において、周期配列構造の前記反射板は、金属製の前記微細素子を周期配列させた周波数選択板として形成されている。
【００１８】
上述のようなアンテナ装置において、周期配列構造の前記反射板は、個々に反射する前記電磁波の周波数帯域に、前記電磁波の方向と直交する方向の前記微細素子の配列ピッチが対応している。
【００１９】
本発明のビーム幅制御方法は、複数の波長帯域の電磁波を通信するアンテナ素子と、複数の波長帯域のうち少なくとも一の前記電磁波を各々反射する複数の反射板と、前記アンテナ素子に対して複数の前記反射板を複数の前記波長帯域の比率と同一の比率の位置に配置している板配置手段と、を有しており、少なくとも一の前記反射板は、複数の微細素子を周期配列させた周期配列構造をなしている、アンテナ装置のビーム幅制御方法であって、周期配列構造の前記反射板の、前記電磁波の方向と直交する方向の前記微細素子の面積により、反射する前記電磁波のビーム幅を制御する。
【００２０】
なお、本発明の各種の構成要素は、必ずしも個々に独立した存在である必要はなく、複数の構成要素を一個の部材として形成していること、一つの構成要素を複数の部材で形成していること、ある構成要素が他の構成要素の一部であること、ある構成要素の一部と他の構成要素の一部とが重複していること、等でもよい。
【００２１】
また、本発明で云う直交とは、直交していることを目標として形成されていればよく、数学的に厳密に直交している必要はなく、いわゆる公差を許容する。さらには、本発明で云う「相似形状の」とは、「相似」した「形状の」ことではなく、「相似形」「状である」ことを意味している。
【発明の効果】
【００２２】
本発明の反射板およびアンテナ装置およびビーム幅制御方法では、周期配列構造の反射板の、電磁波の方向と直交する方向の微細素子の面積により、反射する電磁波のビーム幅を制御することができる。
【図面の簡単な説明】
【００２３】
【図１】本発明の実施の一形態におけるアンテナ装置の構造を示す模式的な斜視図である。
【図２】本発明の実施の一形態におけるアンテナ装置の構造を示す模式的な側面図である。
【図３】本発明の実施の一形態におけるアンテナ装置の第一および第二のメタマテリアル反射板の誘電体の横幅と反射する電波の波長とビーム幅である内角との関係を示す特性図である。
【図４】本発明の実施の一形態におけるアンテナ装置の第一および第二のメタマテリアル反射板の反射する電波の波長ごとの誘電体の横幅とビーム幅である内角との関係を示す特性図である。
【図５】本発明の実施の一形態におけるアンテナ装置の一の変形例の周期配列構造の反射板である周波数選択板の微細素子を示す模式的な正面図である。
【図６】本発明の実施の一形態におけるアンテナ装置の他の変形例の構造を示す模式的な斜視図である。
【図７】本発明の実施の一形態におけるアンテナ装置の他の変形例の構造を示す模式的な平面図である。
【図８】本発明の実施の一形態におけるアンテナ装置の他の変形例の構造を示す模式的な正面図である。
【発明を実施するための形態】
【００２４】
本発明の実施の第一の形態に関して図１および図２を参照して以下に説明する。なお、本実施の形態では図示するように前後左右上下の方向を規定して説明する。しかしながら、これは構成要素の相対関係を簡単に説明するために便宜的に規定するものである。したがって、本発明を実施する製品の製造時や使用時の方向を限定するものではない。本実施の形態のアンテナ装置１００は、図１および図２に示すように、一個のアンテナ素子１１０と、周期配列構造の複数の反射板である第一および第二のメタマテリアル反射板１２０，１３０と、金属製の一個の反射板である金属反射板１４０と、板配置手段である板配置部材（図示せず）と、を有している。
【００２５】
アンテナ素子１１０は、多周波数共用型または広帯域型に形成されており、特定の複数の波長帯域の電磁波である電波の、通信として送信および受信を実行する。第一および第二のメタマテリアル反射板１２０，１３０は、細長形状の直方体状の微細素子であるセラミックスなどの誘電体１２１，１３１を井桁格子状に周期配列させた周期配列構造の平板状に形成されており、三つの波長帯域のうちの少なくとも一つの電波を各々反射する。金属反射板１４０は、銅などの金属製の平板で形成されており、三つの波長帯域のうちの一つの電波を反射する。板配置手段である板配置部材（図示せず）は、たとえば、電波や導通に影響しない透磁性で絶縁性の樹脂などにより形成されており、アンテナ素子１１０に対して第一および第二のメタマテリアル反射板１２０，１３０および金属反射板１４０を、電磁波の複数の波長帯域の比率と同一の比率の位置に配置している。
【００２６】
なお、本実施の形態のアンテナ装置１００では、第一および第二のメタマテリアル反射板１２０，１３０および金属反射板１４０は、その表面が電波の方向と直交しており、電波の複数の波長帯域の比率と相互の寸法の比率が同一の相似形状である正方形に形成されている。このため、第一のメタマテリアル反射板１２０は、一辺が周波数４ＧＨｚの電波の波長の定数倍である、たとえば、等倍の７５ｍｍの正方形に形成されており、４ＧＨｚを中心周波数の波長とする所定の波長帯域の電波を反射する。また、第二のメタマテリアル反射板１３０は、一辺が周波数２ＧＨｚの電波の波長の定数倍である、たとえば、等倍の１５０ｍｍの正方形に形成されており、２ＧＨｚを中心周波数の波長とする所定の波長帯域の電波を反射する。そして、金属反射板１４０は、一辺が周波数８００ＭＨｚの電波の波長の定数倍である、たとえば、等倍の３７５ｍｍの正方形に形成されており、８００ＭＨｚを中心周波数の波長とする所定の波長帯域の電波を反射する。
【００２７】
また、本実施の形態のアンテナ装置１００では、上述のように電波の複数の波長帯域の比率と同一の比率の位置に、第一および第二のメタマテリアル反射板１２０，１３０および金属反射板１４０が、アンテナ素子１１０に対して配置されている。このため、第一のメタマテリアル反射板１２０は、アンテナ素子１１０に対し、反射する電波の波長帯域の中心周波数４ＧＨｚの波長(≒７５ｍｍ)の数分の一である、たとえば、四分の一の、１９(≒７５／４)ｍｍなどの位置に配置されている。第二のメタマテリアル反射板１３０は、アンテナ素子１１０に対し、反射する電波の波長帯域の中心周波数２ＧＨｚの波長(≒１５０ｍｍ)の数分の一である、たとえば、四分の一の、３７．５(≒１５０／４)ｍｍなどの位置に配置されている。金属反射板１４０は、アンテナ素子１１０に対し、反射する電波の波長帯域の中心周波数８００ＭＨｚの波長(≒３７５ｍｍ)の数分の一である、たとえば、四分の一の、９４(≒３７５／４)ｍｍなどの位置に配置されている。
【００２８】
さらには、本実施の形態のアンテナ装置１００では、電波の複数の波長帯域の比率と同一の比率の配列ピッチに、第一および第二のメタマテリアル反射板１２０，１３０の誘電体１２１，１３１が、周期配列されている。このため、第一のメタマテリアル反射板１２０の誘電体１２１は、反射する電波の波長帯域の中心周波数４ＧＨｚの波長(≒７５ｍｍ)の数分の一である、たとえば、二分の一の、３８(≒７５／２)ｍｍなどのピッチに配列されている。第二のメタマテリアル反射板１３０の誘電体１３１は、反射する電波の波長帯域の中心周波数４ＧＨｚの波長(≒７５ｍｍ)の数分の一である、たとえば、二分の一の、７５(≒１５０／２)ｍｍなどのピッチに配列されている。
【００２９】
そして、本実施の形態のアンテナ装置１００では、上述のように第一および第二のメタマテリアル反射板１２０，１３０は、複数の誘電体１２１，１３１を周期配列させた周期配列構造をなしているが、細長形状の誘電体１２１，１３１の、電磁波の方向と直交する方向の面積により、反射する電波のビーム幅が制御されている。つまり、第一および第二のメタマテリアル反射板１２０，１３０は、細長形状の誘電体１２１，１３１の、電波の方向と直交する方向の横幅をＷ１，Ｗ２、反射する電波の波長をλ、とすると、
０．１６≦Ｗ１／λ≦０．２０
０．１６≦Ｗ２／λ≦０．２０
を満足している。
【００３０】
このため、本実施の形態のアンテナ装置１００では、図１および図３および図４に示すように、第一および第二のメタマテリアル反射板１２０，１３０で反射される波長λの電波のビーム幅としてビームの主ローブの最大ゲインより３ｄＢ下がった点間の角度Ｄ１，Ｄ２は、細長形状の誘電体１２１，１３１の横幅Ｗ１，Ｗ２により、
５０≦Ｄ１≦１００（degree）
５０≦Ｄ２≦１００（degree）
に制御されている。
【００３１】
そして、本実施の形態のアンテナ装置１００では、前述のように第一および第二のメタマテリアル反射板１２０，１３０で反射される電波の波長λは４ＧＨｚおよび２ＧＨｚ、第一および第二のメタマテリアル反射板１２０，１３０を形成している誘電体１２１，１３１の横幅Ｗ１，Ｗ２は、各々８〜９ｍｍなので、電波のビーム幅の内角Ｄ１，Ｄ２は、各々９０°に制御されている。
【００３２】
上述のような構成において、本実施の形態のアンテナ装置１００では、アンテナ素子１１０は、４ＧＨｚおよび２ＧＨｚおよび８００ＭＨｚを中心周波数とする三つの波長帯域の電波を送信および受信する。第一のメタマテリアル反射板１２０は、送信および受信される４ＧＨｚを中心周波数とする所定の波長帯域の電波を反射し、第二のメタマテリアル反射板１３０は、２ＧＨｚを中心周波数とする所定の波長帯域の電波を反射する。金属反射板は、８００ＭＨｚを中心周波数とする所定の波長帯域の電波を反射する。
【００３３】
そして、板配置部材は、上述のような４ＧＨｚおよび２ＧＨｚおよび８００ＭＨｚを中心周波数とする三つの波長帯域の比率と同一の比率で、第一および第二のメタマテリアル反射板１２０，１３０および一個の金属反射板１４０を、アンテナ素子１１０に対して配置している。このため、本実施の形態のアンテナ装置１００では、４ＧＨｚおよび２ＧＨｚおよび８００ＭＨｚを中心周波数とする三つの波長帯域の電波を、良好に送信および受信することができる。
【００３４】
そして、本実施の形態のアンテナ装置１００では、第一および第二のメタマテリアル反射板１２０，１３０は、複数の誘電体１２１，１３１を周期配列させた周期配列構造をなしており、第一および第二のメタマテリアル反射板１２０，１３０は、電波の方向と直交する方向の誘電体１２１，１３１の面積により、反射する電波のビーム幅が制御されている。
【００３５】
より具体的には、本実施の形態のアンテナ装置１００では、前述のように第一および第二のメタマテリアル反射板１２０，１３０で反射される電波の波長λは４ＧＨｚおよび２ＧＨｚ、第一および第二のメタマテリアル反射板１２０，１３０を形成している誘電体１２１，１３１の横幅Ｗ１，Ｗ２は、各々８〜９ｍｍなので、電波のビーム幅の内角Ｄ１，Ｄ２は、各々９０°に制御されている。このため、本実施の形態のアンテナ装置１００では、第一および第二のメタマテリアル反射板１２０，１３０で反射される電波の波長λに対し、第一および第二のメタマテリアル反射板１２０，１３０を形成している誘電体１２１，１３１の横幅Ｗ１，Ｗ２により、電波のビーム幅の内角Ｄ１，Ｄ２を制御することができる。
【００３６】
さらには、本実施の形態のアンテナ装置１００では、利用する電波の三つ波長帯域の比率と同一の比率の位置に、アンテナ素子１１０に対して第一および第二のメタマテリアル反射板１２０，１３０および金属反射板１４０が配置されている。このため、第一および第二のメタマテリアル反射板１２０，１３０の各々が、三つの波長帯域のうちの二つの電波を個々に良好に反射することができるとともに、一個の金属反射板１４０が、三つの波長帯域のうちの一つの電波を良好に反射することができる。
【００３７】
しかも、本実施の形態のアンテナ装置１００では、金属反射板１４０および第一および第二のメタマテリアル反射板１２０，１３０は、その表面が電波の方向と直交しており、電波の三つの波長帯域の比率と相互の寸法の比率が同一の正方形に形成されている。したがって、このアンテナ装置１００では、電波の方向と表面が直交している三つの正方形のメタマテリアル反射板および一つの金属反射板１４０の相互の寸法の比率が、電波の三つの波長帯域の比率と一致している。このため、第一および第二のメタマテリアル反射板１２０，１３０の各々が、三つの波長帯域のうちの二つの電波の各々を良好に反射することができるとともに、一個の金属反射板１４０が、三つの波長帯域のうちの一つの電波を良好に反射することができる。
【００３８】
なお、本発明は本実施の形態に限定されるものではなく、その要旨を逸脱しない範囲で各種の変形を許容する。たとえば、上記形態ではアンテナ装置１００がアンテナ素子１１０により、電波の通信として送信および受信を実行することを例示した。しかしながら、アンテナ装置１００がアンテナ素子１１０により、電波の送信のみ実行してもよく、受信のみ実行してもよい。
【００３９】
また、上記形態では周期配列構造の反射板として、第一および第二のメタマテリアル反射板１２０，１３０を例示した。しかしながら、このような周期配列構造の反射板が、周波数選択板で形成されていてもよい。この周波数選択板は、金属製の微細素子を周期配列させた周期配列構造をなしている。図５に示すように、その微細素子１５１〜１５５は、各種形状に形成することができる。このような周波数選択板でも、微細素子１５１〜１５５の電波と直交する方向の横幅により、反射する電波のビーム幅を制御することができる。
【００４０】
さらには、上記形態では第一および第二のメタマテリアル反射板１２０，１３０および金属反射板１４０が、平板状に形成されていることを例示した。しかしながら、図６に例示するアンテナ装置２００のように、第一および第二のメタマテリアル反射板２１０，２２０および金属反射板２３０が、二枚の平板を直角に接合した構造の、コーナーリフレクタとして形成されていてもよい。また、このようなコーナーリフレクタとして形成されている反射板として、三枚の平板を直角に接合した構造をとることもできる。さらには、上述のようなコーナーリフレクタの反射板が、周波数選択板で形成されていてもよい。
【００４１】
また、上記形態ではアンテナ装置１００などが二個のメタマテリアル反射板１２０，１３０などを有していることを例示した。しかしながら、当然ながら、このようなメタマテリアル反射板の個数は任意に設定することができる。また、上記形態ではアンテナ装置１００などが金属反射板１４０を有していることを例示した。しかしながら、このような金属反射板１４０を有することなく複数のメタマテリアル反射板のみでアンテナ装置を実現してもよい（図示せず）。
【００４２】
さらには、上記形態では第一および第二のメタマテリアル反射板１２０，１３０および金属反射板１４０などが、相似形状である正方形に各々形成されていることを例示した。しかしながら、このような複数のメタマテリアル反射板および金属反射板が、相似形状である円形や六角形などの正面形状に形成されていてもよい（図示せず）。
【００４３】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００４４】
１００，２００  アンテナ装置
１１０  アンテナ素子
１２０，１３０，２１０，２２０  メタマテリアル反射板
１４０，２３０  金属反射板
【図１】
2014093544.tif 000003
【図２】
2014093544.tif 000004
【図３】
2014093544.tif 000005
【図４】
2014093544.tif 000006
【図５】
2014093544.tif 000007
【図６】
2014093544.tif 000008
【図７】
2014093544.tif 000009
【図８】
2014093544.tif 000010